(57)【要約】【課題】  浸透器がマンホール内から容易に設置ができ、マンホール壁内に設置できて浸透器が邪魔にならず、フィルター押え枠の取り外しが容易で、フィルターの位置決めが正確にでき、フィルターの交換等の作業が容易にできる浸透マンホール用浸透器を提供する。【解決手段】  有底筒体８の底板１１に小孔１２が、筒体の底板の中心部に棒状軸１３が、棒状軸の先端側に係止溝１４が、筒体の底板の外周に係止片１５が、筒体内に収納されるフィルター９の軸線方向中心部に棒状軸が挿通される孔１６がそれぞれ形成され、フィルターを筒体内に保持するためのフィルター押え枠１０に水の流通孔１８が形成されていると共に押え枠の中心部に軸受け部１９を設け、軸受け部に棒状軸に形成した係止溝と係合可能なスナップ２０を備えさせ、筒体の係止片が浸透マンホール１の貫通孔６の外側周縁に係止され、フィルター押え枠を有底筒体から脱着自在とした浸透マンホール用浸透器。【選択図】        図６
2005307464.tif 000002
【特許請求の範囲】
【請求項１】
有底筒体とフィルターとフィルター押え枠とからなる浸透マンホール用浸透器において、有底筒体の底板に多数の小孔を形成し、該筒体の底板の中心部に筒内側に向けた突出する棒状軸を形成し、該棒状軸の先端側に複数の係止溝を形成し、前記筒体の底板の外周に複数の係止片を形成し、該筒体内に収納されるフィルターの軸線方向中心部に前記棒状軸が挿通される孔を形成し、該フィルターを前記筒体内に保持するための押え枠に水の流通孔を形成すると共に該押え枠の中心部に軸受け部を設け、該軸受け部に前記棒状軸に形成した係止溝と係合可能なスナップを備えさせ、前記筒体の複数の係止片を浸透マンホールの貫通孔の外側周縁に係止し、前記フィルター押え枠を有底筒体から脱着自在としたことを特徴とする浸透マンホール用浸透器。
【発明の詳細な説明】
【技術分野】
【０００１】
本発明は、有底筒体とフィルターとフィルター押え枠とからなる浸透マンホール用浸透器に関するものである。
【背景技術】
【０００２】
従来，雨水等をマンホール等から地中へ浸透させる浸透マンホール等用浸透器において、浸透マンホール等の貫通穴に蓋体を有する外筒をマンホール内周面から内側に突出して固定し、外筒の内部に内筒を収容し、内筒の内部にフィルターを収容し、フィルター枠を外筒に嵌入して固定するものがある（例えば特許文献１参照。）。
【０００３】
【特許文献１】特開平１１−２００４６２号公報  図７
【発明の開示】
【発明が解決しようとする課題】
【０００４】
ところで、前記従来の技術では、フィルター枠を外筒に嵌入して固定しているので、フィルター枠の取り外しが簡単，容易にできないと共にフィルターの交換等の場合にはフィルターが収容されている内筒を引き出さななければならず作業が繁雑になる、という虞がある。
【０００５】
本発明は、従来の技術の有するこのような問題点に鑑みてなされたものであり、その目的とするところは、浸透マンホール用浸透器がマンホール内から容易に設置ができ、マンホール壁内に設置できるので浸透器が邪魔にならず、フィルター押え枠の取り外しが簡単，容易にでき、フィルターの位置決めが正確にでき、フィルターの交換等の作業が簡単，容易にできる浸透マンホール用浸透器を提供しようとするものである。
【課題を解決するための手段】
【０００６】
上記目的を達成するために、本発明における浸透マンホール用浸透器は、有底筒体の底板に多数の小孔を形成し、該筒体の底板の中心部に筒内側に向けた突出する棒状軸を形成し、該棒状軸の先端側に複数の係止溝を形成し、前記筒体の底板の外周に複数の係止片を形成し、該筒体内に収納されるフィルターの軸線方向中心部に前記棒状軸が挿通される孔を形成し、該フィルターを前記筒体内に保持するための押え枠に水の流通孔を形成すると共に該押え枠の中心部に軸受け部を設け、該軸受け部に前記棒状軸に形成した係止溝と係合可能なスナップを備えさせ、前記筒体の複数の係止片を浸透マンホールの貫通孔の外側周縁に係止し、前記フィルター押え枠を有底筒体から脱着自在としたことを特徴とするものである。
【発明の効果】
【０００７】
以上のように、有底筒体の底板に多数の小孔を形成し、該筒体の底板の中心部に筒内側に向けた突出する棒状軸を形成し、該棒状軸の先端側に複数の係止溝を形成し、前記筒体の底板の外周に複数の係止片を形成し、該筒体内に収納されるフィルターの軸線方向中心部に前記棒状軸が挿通される孔を形成し、該フィルターを前記筒体内に保持するための押え枠に水の流通孔を形成すると共に該押え枠の中心部に軸受け部を設け、該軸受け部に前記棒状軸に形成した係止溝と係合可能なスナップを備えさせ、前記筒体の複数の係止片を浸透マンホールの貫通孔の外側周縁に係止し、前記フィルター押え枠を有底筒体から脱着自在としたので、浸透マンホール用浸透器がマンホール内から容易に設置ができ、マンホール壁内に設置できるので浸透器が邪魔にならず、フィルター押え枠が有底筒体の棒状軸に確実に係止され、フィルター押え枠の取り外しが簡単，容易にでき、フィルターの位置決めが正確にでき、フィルターの交換等の作業が簡単，容易にできる浸透マンホール用浸透器となる。
【発明を実施するための最良の形態】
【０００８】
図１ないし図６本発明に係る浸透マンホール用浸透器の一実施例に関するもので、図１は浸透器を浸透マンホールに設置した正面概略図、図２は有底筒体の裏面図、図３は図２のＡ−Ａ断面図、図４はフィルター押え枠の正面図、図５は図４のＢ−Ｂ断面図、図６は浸透器の組立説明図を示すものである。
【０００９】
図において、１は浸透マンホールであり、該マンホ―ル１は例えばコンクリート製の円形状の底体２とコンクリート製の筒状の複数のブロック体３（例えば二段）と上部位に蓋体４を設けたブロック体５とを重ねたものからなり、前記ブロック体３の周壁には雨水を浸透マンホール１内から地中へ浸透させる後述する各浸透器が挿着される多数の貫通孔６，６，…が形成されている。
【００１０】
７は浸透マンホール用浸透器であり、該浸透器７は有底筒体８とフィルター９とフィルター押え枠１０とから構成され、前記ブロック体３の各貫通孔６，６，…内に挿着されている。
【００１１】
前記有底筒体８は合成樹脂製であり、該有底筒体８の底板１１には多数の小孔１２，１２，…が形成され、底板１１の中心部には筒体８の内側に向けた突出する棒状軸１３が形成され、該棒状軸１３の先端側には複数の係止溝１４，１４が形成され、前記底板１１の外周には前記貫通孔６の外側周縁に係止する複数の係止片１５，１５，…が形成されている。
【００１２】
前記フィルター９は例えば合成樹脂製フィーラメントであり、略有底筒体９内周に沿う大きさである。そして、該フィルター９の軸線方向中心部には前記棒状軸１３が挿通される孔１６が形成されている。
【００１３】
前記フィルター押え枠１０は合成樹脂製であり、該押え枠１０の底板１７には多数の水の流通孔１８，１８，…が形成され、該押え枠の中心部に軸受け部１９を設け、該軸受け部１９に前記棒状軸１３に形成した係止溝１４，１４と係合可能なスナップ２０，２０が形成されている。また、前記底板１７の外周には前記貫通孔６の内側周縁に係止する複数の係止片２１，２１，…が形成されている。なお、２２はフィルター押え枠１０を貫通孔６に安定して位置させるために該押え枠１０の外周に形成したリング状のガイドである。
【００１４】
以上のような構成からなる浸透マンホール用浸透器７であって、浸透マンホール１の内周壁面側から有底筒体８を貫通孔６に挿入し、該有底筒体８の係止片１５，１５，…を貫通孔６の外側周縁に係止することにより有底筒体８は貫通孔６内に固定される。そして、フィルター９の軸線方向中心部に形成された孔１６に前記有底筒体８の棒状軸１３を挿入してフィルター９を有底筒体８内に正確な位置に収め、さらにフィルター押え枠１０の軸受け部１９に有底筒体８の棒状軸１３を挿入する。この際、該棒状軸１３の先端側に形成された複数の係止溝１４，１４が軸受け部１９に形成されたスナップ２０，２０に係合されてフィルター押え枠１０は有底筒体８に挿着される。さらに、フィルター押え枠１０の係止片２１，２１，…が前記貫通孔６の内側周縁に係止されてフィルター押え枠１０も貫通孔６に確実固定され、浸透器７は浸透マンホール１内から容易に設置ができると共にマンホール壁内の貫通孔６内に設置できるので浸透器７が作業等の邪魔になることはない。
【００１５】
また、フィルター９を交換したい場合にはフィルター押え枠１０の軸受け部１９に形成されたスナップ２０，２０を指で押して浸透マンホール１の内側方向に引くことで簡単，容易にフィルター押え枠１０は前記有底筒体８の棒状軸１３から外すことができ、フィルター９も棒状軸１３から外して交換することができる。
【００１６】
なお、本発明に係る浸透器７を本実施例では通常の断面形状が丸形である浸透マンホール１に設置したものを記載しているが、断面形状が角形のマンホールに利用することも可能である。
【図面の簡単な説明】
【００１７】
【図１】本発明の実施例に係る浸透マンホール用浸透器の浸透器を浸透マンホールに設置した正面概略図である。
【図２】有底筒体の裏面図である。
【図３】図２のＡ−Ａ断面図である。
【図４】フィルター押え枠の正面図である。
【図５】図４のＢ−Ｂ断面図である。
【図６】浸透器の組立説明図である。
【符号の説明】
【００１８】
１              浸透マンホール
６              貫通孔
７              浸透マンホール用浸透器
８              有底筒体
９              フィルター
１０            フィルター押え枠
１１，１７      底板
１２            小孔
１３            棒状軸
１４            係止溝
１５            係止片
１６            孔
１８            流通孔
１９            軸受け部
２０            スナップ
【図１】
2005307464.tif 000003
【図２】
2005307464.tif 000004
【図３】
2005307464.tif 000005
【図４】
2005307464.tif 000006
【図５】
2005307464.tif 000007
【図６】
2005307464.tif 000008